(57)【要約】【課題】小型化に適し且つ安価で意匠性の高い充電機能付き卓上ホルダを提供する。【解決手段】この充電機能付き卓上ホルダ１は、筐体５内に可動可能に収容配設され、その一端部７ａが、係止爪（以後、係止爪７ａと呼ぶ）を成して嵌装部５ａの孔部５ｃから出退自在に且つ自律復帰自在に突出され、その他端部７ｂが、充電端子９と係合して係止爪７ａの孔部５ｂからの出／退に応じて充電端子９を孔部５ｂから没／出させるアーム部材７とを備え、嵌装部５ａに携帯機器３が未嵌装の状態では、係止爪７ａが孔部５ｃから突出して充電端子９が孔部５ｂから筐体５内に収容され、嵌装部５ａに携帯機器３が嵌装された状態では、係止爪７ａが携帯機器３の所定の係止穴３ｂに係止して携帯機器３によって孔部５ｃ内に後退され、この後退によって充電端子９が孔部５ｂから突出されて携帯機器３の所定の給電端子３ａに当接する。【選択図】図１
2008011668.tif 000002
【特許請求の範囲】
【請求項１】
所定の携帯機器の充電を行う充電機能付き卓上ホルダであって、
前記所定の携帯機器が着脱自在に嵌装される嵌装部を有し、その嵌装部に第１の孔部および第２の孔部を有する筐体と、
前記嵌装部の前記第１の孔部から出没自在に前記筐体内に収容配設された充電端子と、
前記筐体内に可動可能に収容配設され、その一端部が、係止爪を成して前記嵌装部の前記第２の孔部から出退自在に且つ自律復帰自在に突出され、その他端部が、前記充電端子と係合して前記係止爪の前記第２の孔部からの出／退に応じて前記充電端子を前記第１の孔部から没／出させるアーム部材とを備え、
前記嵌装部に前記携帯機器が未嵌装の状態では、前記係止爪が前記第２の孔部から突出して前記充電端子が前記第１の孔部から前記筐体内に収容され、
前記嵌装部に前記携帯機器が嵌装された状態では、前記係止爪が前記携帯機器の所定の係止部に係止して前記携帯機器によって前記第２の孔部内に後退され、この後退によって前記充電端子が前記第１の孔部から突出されて前記携帯機器の所定の給電端子に当接することを特徴とする充電機能付き卓上ホルダ。
【請求項２】
前記第１の孔部は、前記嵌装部の底面に形成され、
前記第２の孔部は、前記嵌装部の内側面に形成されることを特徴とする請求項１に記載の充電機能付き卓上ホルダ。
【発明の詳細な説明】
【技術分野】
【０００１】
本発明は、携帯電話機等の所定の携帯機器の充電を行う充電機能付き卓上ホルダに関する。
【背景技術】
【０００２】
従来の充電機能付き卓上ホルダでは、携帯機器が嵌装される嵌装部の底面に第１の孔部および第２の孔部が設けられ、第１の孔部内に充電端子が出没自在に収容配置され、第２の孔部内に、前記充電端子を出／没させるリフトアップレバーが没／出自在に且つ自律復帰自在に突出配置されている。そして、嵌装部に携帯機器が未嵌装の状態では、リフトアップレバーが第２の孔部から突出し、この突出によって充電端子が第１の孔部内に収容され、他方、嵌装部に携帯機器が嵌装された状態では、リフトアップレバーが携帯機器によって第２の孔部内に押し込まれ、この押し込まれによって充電端子が第１の孔部から突出されて携帯機器の所定の給電端子に当接して充電可能状態となる（例えば特許文献１）。
【０００３】
また嵌装部には、第３の孔部が設けられ、その第３の孔部内に係止爪（ロック爪）が出退自在に且つ自律復帰自在に突出配置されている。そして、嵌装部に携帯機器が嵌装された状態では、前記係止爪が携帯機器の所定の凹部に係止することで、携帯機器の嵌装感や嵌装時の固定力を付与している（例えば特許文献１）。
【０００４】
【特許文献１】特開２００５−１６８１０５号公報
【発明の開示】
【発明が解決しようとする課題】
【０００５】
従来の充電機能付き卓上ホルダでは、上記の様に、嵌装部の底面上に（即ち同一平面上に）充電端子とリフトアップレバーが設けられているので、手でリフトアップレバーを触った際に充電端子に触れて感電する場合や、誤って金属製の製品がリフトアップレバーに当たって充電端子が突出した際に当該金属製の製品が充電端子と接触して充電端子が短絡する場合があるという問題があった。
【０００６】
また、従来の充電機能付き卓上ホルダでは、リフトアップレバーと係止爪とが別構成であるので、部品点数・金型面数増加によるコストアップや、それらの配設エリアを確保する必要があるため意匠が制限されたり、小型化し難いという問題があった。
【０００７】
そこで、この発明は上記の様な問題点を解消するためになされたもので、第１に、小型化に適し且つ安価で意匠性の高い充電機能付き卓上ホルダを提供すること、第２に、充電端子での感電や充電端子の短絡を防止できる充電機能付き卓上ホルダを提供することを目的とする。
【課題を解決するための手段】
【０００８】
上記課題を解決する為に、請求項１に記載の発明は、所定の携帯機器の充電を行う充電機能付き卓上ホルダであって、前記所定の携帯機器が着脱自在に嵌装される嵌装部を有し、その嵌装部に第１の孔部および第２の孔部を有する筐体と、前記嵌装部の前記第１の孔部から出没自在に前記筐体内に収容配設された充電端子と、前記筐体内に可動可能に収容配設され、その一端部が、係止爪を成して前記嵌装部の前記第２の孔部から出退自在に且つ自律復帰自在に突出され、その他端部が、前記充電端子と係合して前記係止爪の前記第２の孔部からの出／退に応じて前記充電端子を前記第１の孔部から没／出させるアーム部材とを備え、前記嵌装部に前記携帯機器が未嵌装の状態では、前記係止爪が前記第２の孔部から突出して前記充電端子が前記第１の孔部から前記筐体内に収容され、前記嵌装部に前記携帯機器が嵌装された状態では、前記係止爪が前記携帯機器の所定の係止部に係止して前記携帯機器によって前記第２の孔部内に後退され、この後退によって前記充電端子が前記第１の孔部から突出されて前記携帯機器の所定の給電端子に当接するものである。
【発明の効果】
【０００９】
請求項１に記載の発明によれば、前記筐体内に可動可能に収容配設され、その一端部が、係止爪を成して嵌装部の第２の孔部から出退自在に且つ自律復帰自在に突出され、その他端部が、充電端子と係合して係止爪の第２の孔部からの出／退に応じて充電端子を第１の孔部から没／出させるアーム部材を備えるので、即ち、アーム部材の一端部が、係止爪と充電端子を出没させるリフトアップレバーとを兼ねているので、部品点数を低減でき、これにより小型化に適し且つ安価で意匠性の高い充電機能付き卓上ホルダを提供できる。
【発明を実施するための最良の形態】
【００１０】
この実施の形態に係る充電機能付き卓上ホルダ１は、図１および図３の様に、携帯電話機等の所定の携帯機器３の充電を行う卓上ホルダであって、筐体５内にアーム部材７、充電端子９を収容配設して主構成されている。
【００１１】
携帯機器３は、図１および図２の様に、その外観が例えば薄型の略立方体状に形成されており、その背面に給電端子３ａが複数（例えば２つ）配設されており、その前端面に筐体５の後述の係止爪７ａが係止する係止穴３ｂが形成され、その後端面の例えば両側に筐体５の後述の係止突起５ｄが係止する係止穴３ｃが形成されている。
【００１２】
筐体５は、図１および図３の様に、例えば平面視矩形形状の箱状に形成され、その上面に携帯機器３の背面側が着脱自在に嵌装される凹状の嵌装部５ａが形成されている。
【００１３】
嵌装部５ａの底面には、携帯機器３の各給電端子３ａに対応する位置に、充電端子配置用の孔部（第１の孔部）５ｂが形成されている。
【００１４】
また、嵌装部５ａにおける長辺方向（ｘ方向）の一方側の内側面には、係止爪配置用の孔部（第２の孔部）５ｃが形成されており、嵌装部５ａにおける長辺方向（ｘ方向）の他方側の内側面の両側には、係止突起５ｄが形成されている。
【００１５】
充電端子９は、図３の様に、例えば金属線材を曲成して形成されており、逆略Ｕ字状に屈曲されて形成された充電端子本体部９ａと、充電端子本体部９ａの側方に伸延されて形成された係合部９ｂと、係合部９ｂの一端側に形成されたトーションバネ部９ｃとを有している。
【００１６】
この充電端子９は、トーションバネ部９ｃの一端側が、筐体５内に収容配設された所定の回路基板１１に固定されることで、筐体５内に収容配設されている。この収容配設状態では、充電端子本体部９ａの先端部９ｄが、筐体５の孔部５ｂから出没自在に且つトーションバネ部９ｃにより自律復帰自在に突出される。
【００１７】
アーム部材７は、側面視略Ｌ字状に形成され、その一端部７ａに、携帯機器３の係止穴３ｂに係止する係止爪（以後、係止爪７ａと呼ぶ）が形成され、その他端部７ｂが充電端子９の係合部９ｂと係合（ここでは当接）する係合部（以後、係合部７ｂと呼ぶ）になっている。
【００１８】
係止爪７ａは、その上面および下面がテーパ状に傾斜しており、側面視三角形状に形成されている。
【００１９】
このアーム部材７は、その係止爪７ａが筐体５の孔部５ｃから出退自在に突出され、その係合部７ｂが充電端子９の係合部９ｂの上面に当接する様にして、その中間部分の所定点７ｃで筐体５により回動自在に軸支されている。またこのアーム部材７は、筐体５内に配設されたバネ１２により、係止爪７ａが孔部５ｃから自律復帰自在に突出する様に付勢されている。
【００２０】
即ちこのアーム部材７は、その係止爪７ａが自立復帰して孔部５ｃから突出している状態では、その係合部９ｂが充電端子９の係合部９ｂを押下しており、この押下により、充電端子本体部９ａは孔部５ｂから筐体５内に完全に収容されている。そして、その係止爪７ａが孔部５ｃの内部側に押されると、アーム部材７が所定点７ｃを軸として図中右周りに回動してその係合部７ｂが上方に移動され、この移動に伴って、充電端子本体部９ａの先端部９ｄが、トーションバネ部９ｃにより自律復帰して孔部５ｂから突出する。
【００２１】
次に、この充電機能付き卓上ホルダ１への携帯機器３の嵌装の仕方を説明する。
【００２２】
図３の様に、携帯機器３の背面を下に向けた状態で、まず携帯機器３の後端面の係止穴３ｃを充電機能付き卓上ホルダ１の嵌装部５ａの係止突起５ｄに引っ掛けて、そして携帯機器３全体を充電機能付き卓上ホルダ１の嵌装部５ａ内に押し込む。
【００２３】
これにより、携帯機器３の前端面３ｄにより充電機能付き卓上ホルダ１の係止爪７ａが孔部５ｃの内部側に押され、携帯機器３が充電機能付き卓上ホルダ１の嵌装部５ａ内に嵌装すると共に、充電機能付き卓上ホルダ１の係止爪７ａが携帯機器３の係止穴３ｂに係止する。
【００２４】
この係止状態では、携帯機器３は、充電機能付き卓上ホルダ１の係止突起５ｄおよび係止爪７ａにより嵌装部５ａ内から外れない様に固定保持されている。
【００２５】
またこの状態では、係止爪７ａは、孔部５ｃの内部側に押された状態で携帯機器３の係止穴３ｂに係止しており、この係止爪７ａの押されにより、アーム部材７が所定点７ｃを軸として図中右周りに回動されてアーム部材７の係合部９ｂが上方に移動され、この上方移動に伴って、充電端子９の先端部９ｄが、自律復帰して孔部５ｂから突出して携帯機器３の給電端子３ａに当接して、充電可能状態となる（尚、充電機能付き卓上ホルダ１における充電に必要な回路は、便宜上図示省略している）。
【００２６】
そして充電機能付き卓上ホルダ１から携帯機器３を外すには、まず携帯機器３の前端面３ｄ側を持ち上げて、携帯機器３の係止穴３ｂから充電機能付き卓上ホルダ１の係止爪７ａを外し、そして携帯機器３全体を持ち上げればよい。携帯機器３が充電機能付き卓上ホルダ１から外された状態（即ち嵌装部５ａに携帯機器３が未嵌装の状態）では、係止爪７ａが自律復帰して孔部５ｃから突出し、この突出によりアーム部材７が所定点７ｃを軸として図中左周りに回転してアーム部材７の係合部９ｂにより充電端子９の係合部９ｂが押下され、この押下により充電端子９の先端部９ｄが孔部５ｂから筐体５内に完全に収容される。
【００２７】
以上の様に構成された充電機能付き卓上ホルダ１によれば、筐体５内に可動可能に収容配設され、その一端部７ａが、係止爪（以後、係止爪７ａと呼ぶ）を成して嵌装部５ａの孔部（第２の孔部）５ｃから出退自在に且つ自律復帰自在に突出され、その他端部７ｂが、充電端子９と係合して係止爪７ａの孔部５ｃからの出／退に応じて充電端子９を孔部（第１の孔部）５ｂから没／出させるアーム部材７を備えるので、即ち、アーム部材７の一端部７ａが、係止爪と充電端子９を出没させるリフトアップレバーとを兼ねているので、部品点数を低減でき、これにより小型化に適し且つ安価で意匠性の高い充電機能付き卓上ホルダを提供できる。
【００２８】
また、充電端子配置用の孔部５ｂは嵌装部５ａの底面に形成され、係止爪配置用の孔部５ｃは嵌装部５ａの内側面に形成されるので、即ち、充電端子９と係止爪７ａ（リフトアップレバーに相当するもの）とが同一平面上に設けられないので、充電端子９での感電や充電端子９の短絡を防止できる。
【図面の簡単な説明】
【００２９】
【図１】本発明の実施の形態に係る充電機能付き卓上ホルダおよびその卓上ホルダに嵌装される携帯機器の斜視図である。
【図２】図１のII-II断面概略図である。
【図３】図１のIII-III断面概略図である。
【図４】本発明の実施の形態に係る充電機能付き卓上ホルダに携帯機器を嵌装させた状態の断面概略図である。
【符号の説明】
【００３０】
１  充電機能付き卓上ホルダ、３  携帯機器、３ａ  給電端子、３ｂ，３ｃ  係止孔、５  筐体、５ａ  嵌装部、５ｂ  充電端子配置用の孔部、５ｃ  係止爪配置用の孔部、５ｄ  底面、７  アーム部材、７ａ  係止爪、７ｂ  係合部、９  充電端子、９ｃ  トーションバネ部。
【図１】
2008011668.tif 000003
【図２】
2008011668.tif 000004
【図３】
2008011668.tif 000005
【図４】
2008011668.tif 000006